(57)【特許請求の範囲】
【請求項１】
本体に対して回動可能に設けた蓋体の前記本体の上部を閉鎖する閉鎖端面に装着される飾り部材の取付構造であって、
前記蓋体は、上蓋と下蓋からなり、前記閉鎖端面には、前記上蓋と前記下蓋により開口する隙間が形成され、
前記飾り部材は、前記隙間内に配置されて係合される係合突部を備え、
前記上蓋は、内面にリブを有し、前記リブは下端に、前記内面との間に隙間を形成する突起を有し、
前記飾り部材の係合突部は、前記上蓋の突起によって形成された隙間に配置されることを特徴とする飾り部材の取付構造。
【発明の詳細な説明】
【技術分野】
【０００１】
本発明は、飾り部材の取付構造に関するものである。
【背景技術】
【０００２】
従来、調理器に飾り部材を取り付けるようにしたものが公知である（例えば、特許文献１参照）。
【０００３】
しかしながら、前記従来の飾り部材では、調理器本体を構成する底部材と肩部材の間に挟み込むようにして取り付けられるだけのものでしかない。
【先行技術文献】
【特許文献】
【０００４】
【特許文献１】特開２０１４−１０２８９９号公報
【発明の概要】
【発明が解決しようとする課題】
【０００５】
本発明は、蓋体の閉鎖端面であっても位置ずれや外れ等の心配なく確実に装着することのできる飾り部材の取付構造を提供することを課題とする。
【課題を解決するための手段】
【０００６】
本発明は、前記課題を解決するための手段として、
本体に対して回動可能に設けた蓋体の前記本体の上部を閉鎖する閉鎖端面に装着される飾り部材の取付構造であって、
前記蓋体は、上蓋と下蓋からなり、前記閉鎖端面には、前記上蓋と前記下蓋により開口する隙間が形成され、
前記飾り部材は、前記隙間内に配置されて係合される係合突部を備えたものである。
【０００７】
この構成により、飾り部材は係合凸部を上蓋と下蓋によって挟持された状態で係合される。したがって、蓋体の閉鎖端面であるにも拘わらず、飾り部材を適切に装着することができる。
【０００８】
前記上蓋は、前記隙間を構成する内面に、前記飾り部材の係合突部が当接する係止凸部を有するのが好ましい。
【０００９】
この構成により、飾り部材に対して外力が作用したとしても、その係合突部が上蓋の係止凸部に当接し、位置ずれ等が阻止され、上蓋及び下蓋に対する飾り部材の良好な装着状態が維持される。
【００１０】
前記下蓋は、前記上蓋の係止凸部が係止される係止凹部を有する突出部を有するのが好ましい。
【００１１】
この構成により、前記上蓋の係止凸部が前記下蓋の係止凹部に係止されて、係止凸部自体が位置ずれしにくい。このため、飾り部材に作用する外力に対する位置ずれ防止機能をより一層向上させることができる。
【００１２】
前記下蓋は突出部を有し、
前記飾り部材は、前記隙間に挿入された後、前記突出部の上端に係合する係合突起を、前記係合突部に有するのが好ましい。
【００１３】
この構成により、上蓋、下蓋及び飾り部材を組み立てた状態では、突出部に係合突起が係合し、飾り部材を取り外し不能とすることができる。
【００１４】
前記上蓋は、下端開口部の外面に、係止孔を有する段部を形成され、
前記飾り部材は、前記上蓋の段部に配置される突条を有し、前記突条は、前記係止孔に係止される係止爪を形成されているのが好ましい。
【００１５】
この構成により、飾り部材の係合突部を上蓋と下蓋によって挟持するだけでなく、さらに、飾り部材を上蓋に対して係止孔に係止爪を係止させているので、装着状態をより一層強固なものとすることができる。
【００１６】
前記上蓋は、内面にリブを有し、前記リブは下端に、前記内面との間に隙間を形成する突起を有し、
前記飾り部材の係合突部は、前記上蓋の突起によって形成された隙間に配置されるのが好ましい。
【００１７】
この構成により、飾り部材の位置ずれをより一層効果的に防止することができる。
【発明の効果】
【００１８】
本発明によれば、飾り部材に形成した係合突部を、上蓋と下蓋との間に形成され、蓋体の閉鎖端面に開口する隙間に挿入して係合させるようにしたので、装着状態を安定させることができる。
【図面の簡単な説明】
【００１９】
【図１】本実施形態に係る炊飯器の部分分解斜視図である。
【図２】図１の蓋体を下方側から見た斜視図である。
【図３】図２の上蓋のみを下方側から見た斜視図である。
【図４】図３の係止孔及び係止凸部の近傍部分を上蓋の内側から見た部分拡大斜視図である。
【図５】図２の下蓋の係止凹部の部分拡大斜視図である。
【図６】図２の下蓋の突出部に飾り部材の係合凸部が係合している、下蓋、上蓋及び飾り部材の組み付け状態を示す炊飯器本体の一部を含む部分拡大断面斜視図である。
【図７】図１に示す下蓋の斜視図である。
【図８】図７の部分拡大図である。
【図９】図１の飾り部材の部分拡大斜視図である。
【図１０】上蓋に飾り部材を組み付けた状態を示す部分断面斜視図である。
【図１１】図１０にさらに下蓋を組み付けた状態を示す部分断面斜視図である。
【図１２】図１の下蓋の係止凹部に上蓋の係止凸部が係止している状態を示す部分拡大断面斜視図である。
【図１３】図１の飾り部材の係合突部が上蓋の係止凸部に当接している状態を示す部分拡大断面斜視図である。
【図１４】他の実施形態に係る下蓋、上蓋及び飾り部材の組み付け状態を示す部分拡大断面斜視図である。
【発明を実施するための形態】
【００２０】
以下、本発明に係る実施形態を添付図面に従って説明する。なお、以下の説明は、本質的に例示に過ぎず、本発明、その適用物、あるいは、その用途を制限することを意図するものではない。
【００２１】
図１は、本実施形態に係る炊飯器の部分分解斜視図である。この炊飯器は、炊飯器本体１に回動可能に蓋体２を設けたものである。蓋体２は、上蓋３及び下蓋４を備え、その閉鎖端面（下面）には飾り部材５が装着されるようになっている。
【００２２】
上蓋３は全体に薄板状で、上面には蓋パネル６が取り付けられている。図３に示すように、上蓋３には炊飯器の背面側に切欠き７が形成され、図４及び図５に示すように、下端部に外面が内側に窪んだ段部８が形成されている。段部８の外周面８ａには、周方向に所定間隔で矩形状の係止孔９が形成されている。また上蓋３の内周面８ｂには、各係止孔９を構成する上縁に沿って内側に突出する係止凸部１０が形成されている。各係止凸部１０は、係止孔９よりも両端側に長く形成されている。また上蓋３の内面には、内側に向かって突出し、上下方向に延びる複数の補強リブ１１が形成されている。補強リブ１１の下端には、内側部分のみが突出する突起１１ａが形成され、上蓋３の内面との間に隙間１１ｂを構成している。
【００２３】
下蓋４は、図７に示すように、全体がドーム状に形成されて、後述するようにして飾り部材５が取り付けられた上蓋３の下端開口部に装着される（図２参照）。図８に示すように、下蓋４の下端開口部は外側に向かって鍔状に突出し、その先端側には上方に向かう突出部１２が形成されている。突出部１２には、前記上蓋３の内面に形成した各係止凸部１０に対応する位置に係止凹部１３がそれぞれ形成されている。各係止凹部１３は、突出部１２の一部を内側に膨出させた部分に形成され、その下面には長手方向に所定間隔で案内突部１４が形成されている。案内突部１４は、係止凹部１３の入口側に係止凸部１０の挿入を容易とするためのＲ形状の面取りがなされている。下蓋４の上面には図示しない複数のボス部が形成され、上蓋３をネジ止め固定できるようになっている。そして、下蓋４に上蓋３を装着した状態では、下蓋４の下端開口部と上蓋３の下端開口部との間には隙間１５が形成されるようになっており、この隙間１５に飾り部材５の一部を配置することができるようになっている。なお、図６に示すように、突出部１２を形成することにより得られた溝部１２ａには、上蓋の補強リブ１１の突起１１ａが配置され、下蓋４に対して上蓋３が外方側に位置ずれすることを防止される。
【００２４】
飾り部材５は全体が略Ｕ字形に形成されている（図１参照）。図９に示すように、飾り部材５の上面には外縁に沿って全体に突条１６が形成されている。また飾り部材５の上面には内縁に沿って所定間隔で複数の係合突部１７が形成されている。
【００２５】
係合突部１７は、第１突出部１８と、この第１突出部１８から突出する長さが短くなった第２突出部１９と、この第２突出部１９から突出する２つの係合突起２０とで構成されている。図１２に示すように、上蓋３に対して飾り部材５を装着した状態で、係合突部１７のうち、係合突起２０の間に位置する第２突出部１９の上端部分が、上蓋３の係止凸部１０の下面に当接するように構成されている。
【００２６】
係合突部１７と突条１６との間には溝部２１が形成され、そこには上蓋３の段部８が配置される。また前述の通り、上蓋３は下蓋４の溝部１２ａに補強リブ１１の突起１１ａが位置することにより外方側への位置ずれが防止されている。これにより、飾り部材５の上蓋３に対する内外方向の位置ずれが防止される。図９に戻って、隣接する係合突部１７の間には所定の間隙が形成され、突条１６には間隙に対応する位置に係止爪２２がそれぞれ形成されている。下蓋４に上蓋３を装着した際、突条１６が上蓋３の段部８に位置し、突条１６の外面と上蓋３の外面とが面一となる。このとき、係止爪２２が上蓋３の段部８に形成した係止孔９に係止される。
【００２７】
各係合突起２０は、先端部分が内側に向かって突出し、第２突出部１９に対して略直角となる。各係合突起２０は下蓋４の突出部１２の上端に係合する。また係合突起２０は係合突部１７を設ける位置によって長さが相違している。基本的には、隣接する係合突部１７間で、長い係合突起２０を有するものと、短い係合突起２０を有するものとが交互に配置されている。
【００２８】
前記構成からなる上蓋３、下蓋４及び飾り部材５は、次のようにして組み立てることができる。
すなわち、上蓋３に飾り部材５を組み付ける。このとき、図１０に示すように、飾り部材５の第１突出部１８が上蓋３の段部８の外面側に位置し、飾り部材５の係止爪２２が上蓋３の係止孔９に係止されて仮固定状態となる。
【００２９】
続いて、飾り部材５を仮固定された上蓋３に対して下蓋４を装着する。下蓋４の装着では、上蓋３と飾り部材５の内周側に下蓋４の突出部１２が挿入する際、突出部１２の外周面が下蓋４の係止凸部１０に当接し、下蓋４の下端開口部を部分的に外方へと弾性変形させる。そして、図１１に示すように、係止凸部１０が下蓋４の突出部１２に形成した係止凹部１３に係止されることにより上蓋３は形状復帰し、上蓋３及び飾り部材５に対する下蓋４の装着が完了する。この状態で、上蓋３と下蓋４とをネジ止め固定し、図２に示す状態となる。
【００３０】
このようにして組み立てられた蓋体２では、飾り部材５は、係合突部１７を下蓋４の突出部１２の外面と上蓋３の段部８の内面とによって挟持された状態で、飾り部材５の係合突起２０が下蓋４の突出部１２の上端に係合する。しかも、飾り部材５の突条１６が上蓋３の段部８に位置し、突条１６に形成した係止爪２２が段部８に形成した係止孔９に係止する。したがって、蓋体２の閉鎖端面であっても、変形したり脱落したりする心配なく飾り部材５を装着することができる。また、たとえ飾り部材５に対して外力が作用したとしても、図１３に示すように、飾り部材５の係合突部１７が上蓋３の係止凸部１０に当接して移動を阻止される。このため、飾り部材５は外力によって位置ずれしたり、外れたりすることがない。
【００３１】
なお、本発明は、前記実施形態に記載された構成に限定されるものではなく、種々の変更が可能である。
【００３２】
前記実施形態では、飾り部材５を炊飯器の蓋体２に装着する構成について説明したが、対象となる電気製品は炊飯器に限らず、加熱調理器、電気ポット等、蓋体２を有する構成のものであれば、前記構成の飾り部材５の取付構造を採用することができる。
【００３３】
前記実施形態では、図６に示すように、飾り部材５の係合突部１７を上蓋３の内側から内面に沿って屈曲させ、下蓋４の突出部１２との間に位置させるように構成としたが、図１４に示すように、上蓋３の内側に向かって突出するだけの構成としてもよい。この場合、下蓋４には突出部１２を上方ではなく、上蓋３の内側に向かって突出する係合突部１７の下面に沿うように外側に突出する構成とすればよい。
【符号の説明】
【００３４】
１…炊飯器本体
２…蓋体
３…上蓋
４…下蓋
５…飾り部材
６…蓋パネル
７…切欠き
８…段部
９…係止孔
１０…係止凸部
１１…補強リブ
１２…突出部
１３…係止凹部
１４…案内突部
１５…隙間
１６…突条
１７…係合突部
１８…第１突出部
１９…第２突出部
２０…係合突起
２１…溝部
２２…係止爪
【図１】
0006392168.tif 000002
【図２】
0006392168.tif 000003
【図３】
0006392168.tif 000004
【図４】
0006392168.tif 000005
【図５】
0006392168.tif 000006
【図６】
0006392168.tif 000007
【図７】
0006392168.tif 000008
【図８】
0006392168.tif 000009
【図９】
0006392168.tif 000010
【図１０】
0006392168.tif 000011
【図１１】
0006392168.tif 000012
【図１２】
0006392168.tif 000013
【図１３】
0006392168.tif 000014
【図１４】
0006392168.tif 000015